(57)【要約】【課題】アダプタに照明器具本体を取付ける場合や取外す場合、簡単な操作で作業を行うことができる照明器具を提供する。【解決手段】本発明は、器具取付面Ｃに設置された配線器具Ｃｂに対向する係合口５１を有する取付部５と、前記係合口５１に対向して略中央部に開口７１を有し、外周部に光入射端面７２を備えた導光板７と、この導光板７の前記光入射端面７２に出射光が入射するように配設された発光素子６１と、前記係合口５１に対向して係合口５１を開閉可能に覆う透光性を有するカバー部材１０とを備える照明器具である。【選択図】図１０
2012109054.tif 000002
【特許請求の範囲】
【請求項１】
器具取付面に設置された配線器具に対向する係合口を有する取付部と；
前記係合口に対向して略中央部に開口を有し、外周部に光入射端面を備えた導光板と；
この導光板の前記光入射端面に出射光が入射するように配設された発光素子と；
前記係合口に対向して係合口を開閉可能に覆う透光性を有するカバー部材と；
を具備することを特徴とする照明器具。
【請求項２】
器具取付面に設置された配線器具に対向する係合口を有する取付部と；
前記係合口に対向して係合口を開閉可能に覆う透光性を有するカバー部材と；
このカバー部材の背面側に配設された補助部品ユニットと；
を具備することを特徴とする照明器具。
【請求項３】
前記カバー部材は、照明器具本体に対して着脱可能であって、カバー部材を操作して係合口を開放した場合、当該カバー部材が照明器具本体側に保持されて落下が防止できる落下防止手段を備えていることを特徴とする請求項１又は請求項２に記載の照明器具。
【発明の詳細な説明】
【技術分野】
【０００１】
本発明の実施形態は、例えば、ＬＥＤ等の発光素子を光源として、導光板を用いて照明を行う照明器具に関する。
【背景技術】
【０００２】
近時、ＬＥＤの高出力化、高効率化及び普及化に伴い、光源としてＬＥＤを用いた屋内又は屋外で使用される長寿命化が期待できる照明器具が開発されている。この照明器具は、ＬＥＤを基板に複数実装して所定の光量を得るようにしたもので、例えば、天井面等に直接的に取付けられる、いわゆる直付タイプのベース照明として用いられている。
【０００３】
しかし、ＬＥＤから出射される光は指向性が強くグレアが生じやすく、また、輝度むらが発生しやすい。そこで、グレアを抑制し、発光面の均斉度の向上を図るため、導光板を用いて照明を行う新たな照明器具が開発されている。
【０００４】
このような照明器具の場合、例えば、一般住宅用として天井面に設置された配線器具としての引掛けシーリングボディにアダプタが電気的かつ機械的に接続され、このアダプタに取付部を介して照明器具本体が取付けられる形式のものでは、照明器具本体の下方における略全面が導光板で覆われるようになる。
【先行技術文献】
【特許文献】
【０００５】
【特許文献１】特開２００９−２１２００号公報
【特許文献２】特開２００９−２８３１９７号公報
【発明の概要】
【発明が解決しようとする課題】
【０００６】
しかしながら、上記のような照明器具において、アダプタに照明器具本体を取付ける場合や取外す場合、アダプタの操作等のために、導光板を取外して作業を行わなければならない。
【０００７】
この種、導光板を用いる照明器具では、ＬＥＤ等の光源から出射される光が導光板の光入射端面に入射するように、光入射端面とＬＥＤ等の光源とを対向配置する必要があるため、前記作業が伴う場合には、その構成が複雑化するという問題が生じる。
【０００８】
また、導光板を用いない照明器具であっても、アダプタに照明器具本体を取付ける場合や取外す場合、照明器具本体の下方における略全面を覆う比較的大型に構成されたセードを取外して作業を行わなければならない。
【０００９】
本発明は、上記課題に鑑みなされたもので、アダプタに照明器具本体を取付ける場合や取外す場合、簡単な操作で作業を行うことができる照明器具を提供することを目的とする。
【課題を解決するための手段】
【００１０】
本発明の実施形態による照明器具は、器具取付面に設置された配線器具に対向する係合口を有する取付部と、前記係合口に対向して略中央部に開口を有し、外周部に光入射端面を備えた導光板とを備えている。
【００１１】
また、導光板の前記光入射端面に出射光が入射するように配設された発光素子と、前記係合口に対向して係合口を開閉可能に覆う透光性を有するカバー部材と備えている。
【発明の効果】
【００１２】
本発明の実施形態によれば、照明器具本体を取付ける場合や取外す場合、簡単な操作で作業を行うことができる照明器具を提供することができる。
【図面の簡単な説明】
【００１３】
【図１】本発明の第１の実施形態に係る照明器具を示す斜視図である。
【図２】同照明器具を分解して示す斜視図である。
【図３】同器具本体を背面側から見て示す斜視図である。
【図４】図３中、Ｘ−Ｘ線に沿って示す断面図である。
【図５】図４中、Ａ部を示す拡大図である。
【図６】図４中、Ｂ部を示す拡大図である。
【図７】同器具本体の取付部（アダプタガイド）を示す斜視図である。
【図８】同器具本体のカバー部材を示す斜視図である。
【図９】同器具本体における取付部（アダプタガイド）及びカバー部材を示す断面図である。
【図１０】同照明器具の天井面への取付状態を示す断面図である。
【図１１】本発明の第２の実施形態に係る照明器具を示す図５に相当する断面図である。
【発明を実施するための形態】
【００１４】
以下、本発明の第１の実施形態について図１乃至図１０を参照して説明する。なお、各図においてリード線等による配線接続関係は基本的には省略して示している。また、各図において同一部分には同一符号を付し、重複した説明は省略する。
【００１５】
本実施形態の照明器具は、器具取付面に設置された配線器具としての引掛けシーリングボディに取付けられて使用される形式であり、導光板を用いて例えば、室内の照明を行うものである。
【００１６】
図１乃至図４において、照明器具は、器具本体１と、器具取付面としての天井面Ｃに設置された配線器具としての引掛けシーリングボディＣｂに電気的かつ機械的に接続されるアダプタＡ（図２及び併せて図１０参照）と、赤外線リモコン送信器Ｒとを備えている。器具本体１は、図１に示すように略正方形状の外観に形成され、前面側を光の照射面とし、背面側を天井面Ｃへの取付面としている。
【００１７】
図２に代表して示すように、器具本体１は、点灯装置２と、サポートシャーシ３と、センターシャーシ４と、取付部としてのアダプタガイド５と、光源部６と、導光板７と、補助部品ユニット８と、本体枠９と、カバー部材１０とを備えている。これら構成要素について順次説明する。
【００１８】
点灯装置２は、アルミニウム等の金属材料で形成された箱状のカバーケースと、このカバーケース覆われるように収容された回路基板及びこの基板に実装された回路部品とから構成されており、アダプタＡを介して商用交流電源に接続されるようになっていて、この交流電源を受けて直流出力を生成するものである。したがって、点灯装置２は、後述する光源部６に電気的に接続されて、その直流出力を発光素子６１に供給し、発光素子６１を点灯制御するようになっている。この点灯装置２は、サポートシャーシ３の背面側に位置して取付けられている（図３参照）。
【００１９】
サポートシャーシ３は、アルミニウム等の金属材料から略正方形状に形成されており、正方形状の浅皿状の凹部３１を有し、この凹部３１の各辺には外側に段状に屈曲して延出する取付片３２が形成されている。また、凹部３１の前面側は、導光板７を支持する支持面として構成されており、さらに、略中央部には、四角形状の開口３３が形成されている。
【００２０】
センターシャーシ４は、冷間圧延鋼板等の金属材料から略直方体の箱状に形成されており、一端側（図示上、下側）を開放し、この開放した各辺には外側に向かって水平方向に延出する鍔状の当接部４１が形成されている。また、他端側（図示上、上側）には、円形状の開口４２が形成されている。したがって、センターシャーシ４は、全体としては高さの低い直方体形状をなしている。当接部４１は、導光板７の背面側にサポートシャーシ４を介して当接される部分であり、開口４２は、アダプタＡが挿通される部分である。そして、図５に示すように、センターシャーシ４の当接部４１は、サポートシャーシ３における開口３３の周辺部に上から重合されるように配置され、こられが固定手段によって固着されている。なお、センターシャーシ４の当接部４１は、導光板７を補強する機能を有している。
【００２１】
取付部としてのアダプタガイド５は、図５、図７及び図９の参照を加えて示すように、センターシャーシ４と同様に、全体としては高さの低い直方体形状に形成されていて、中央部にアダプタＡが挿通し、係合する係合口５１が設けられており、下端側に外方へ向かう鍔部５２が形成されている。このアダプタガイド５は、その外周面がセンターシャーシ４の内周面に接するように配設され取付けられている。また、アダプタガイド５は、詳細を後述するカバー部材１０が着脱可能に取付けられる着脱機構を備えている。
【００２２】
光源部６は、図２、図４及び図６に示すように、発光素子６１が実装された基板６２と、この基板６２が取付けられる取付部材としての取付板６３とから構成されている。
【００２３】
基板６２は、横長の長方形状で絶縁材であるガラスエポキシ樹脂の平板からなり、表面側には銅箔で形成された配線パターンが施されている。また、適宜レジスト層が施されるようになっている。なお、基板６２の材料は、絶縁材とする場合には、セラミックス材料又は合成樹脂材料を適用できる。さらに、金属製とする場合は、アルミニウム等の熱伝導性が良好で放熱性に優れたべース板の一面に絶縁層が積層された金属製のべース基板を適用してもよい。
【００２４】
発光素子６１は、ＬＥＤであり、表面実装型のＬＥＤパッケージである。このＬＥＤパッケージが基板６２の長手方向に沿って多数直線状に並べられて実装され配設されている。ＬＥＤパッケージは、概略的にはセラミックスで形成された本体に配設されたＬＥＤチップと、このＬＥＤチップを封止するエポキシ系樹脂やシリコーン樹脂等のモールド用の透光性樹脂とから構成されている。
【００２５】
ＬＥＤチップは、青色光を発光する青色のＬＥＤチップである。透光性樹脂には、蛍光体が混入されており、白色光を出射できるようにするために、青色の光とは補色の関係にある黄色系の光を放射する黄色蛍光体が使用されている。
【００２６】
なお、ＬＥＤは、ＬＥＤチップを直接基板６２に実装するようにしてもよく、また、砲弾型のＬＥＤを実装するようにしてもよく、実装方式や形式は、格別限定されるものではない。
【００２７】
取付板６３は、アルミニウムや亜鉛めっき鋼板等の熱伝導が良好な材料から作られており、横長で側面が略Ｃ型形状に形成されている。この取付板６３の内側壁には、基板６２が、ねじ止め等によって、その裏面側が密着するように取付けられている。したがって、光源部６は、取付板６３に基板６２が取付けられてユニット化されている。
【００２８】
本実施形態では、主として図２に示すように、このユニット化された光源部６が２個用いられており、導光板７の対向する二つの辺に対応して配設されるようになっている。なお、このユニット化された光源部６は、導光板７の各辺に対応するように配設してもよく、適宜設計に応じて選択することができる。
【００２９】
導光板７は、アクリル樹脂等の透過率の高い材料を用いて四角形状の平板状に形成され、背面側の全面には光を拡散する多数の白色の反射ドットからなるドットパターンが印刷によって形成されているとともに反射シートが設けられている。また、前面側の全面には、拡散シートが設けられている。さらに、導光板７の略中央部には、アダプタガイド５の外形と対応し、また、アダプタＡと対応するように四角形状の開口７１が形成されている。また、この導光板７の外周部である四角形状の各辺、すなわち、側端面は、発光素子６１から出射される光が入射して導光板７内を進行する光入射端面７２として機能するようになっている。
【００３０】
補助部品ユニット８は、横長箱状のケース内にユニット基板及びこの基板に実装された複数の電気的補助部品を備えて構成されている。本実施形態における電気的補助部品は、赤外線リモコン信号受信部、照度センサ、補助光源としての常夜灯、スイッチやモニターランプ等である。
【００３１】
この補助部品ユニット８は、照明器具、すなわち、器具本体１の外周縁部、具体的には、本体枠９の外周縁部に配設される。したがって、導光板７の発光領域の外側に配設されるようになっている。このように構成された補助部品ユニット８は、複数の電気的補助部品が集中化して設けられていて、本体枠９に取付けられるようになっている。
【００３２】
本体枠９は、ＡＢＳ樹脂やポリカーボネート等の合成樹脂から作られていて、略正方形状であって前記導光板７の寸法より大きな枠状に形成されており、側壁９１と、この側壁９１の下端部から内側に向かって斜め下方に延出し、さらに内側に向かって斜めに立ち上がる傾斜状部を有する底壁９２とを備えている。また、底壁９２には、複数のボス９３が立設されており、このボス９３には、サポートシャーシ３の取付片３２がねじ止めされるようになっている。
【００３３】
カバー部材１０は、図５、図８及び図９の参照を加えて示すように、アクリル樹脂やポリカーボネート等の透光性を有する合成樹脂材料から略正方形状で前面側が凸となるように形成されている。また、前面側の表面には、拡散性の機能を果たす多数の凹凸が形成されている。このカバー部材１０は、前記アダプタガイド５に取付けられていて、前記係合口５１に対向して係合口５１を開閉可能に覆うようになっており、さらに、取外し可能になっている。
【００３４】
ここで、カバー部材１０とアダプタガイド５との着脱機構について図５、図７乃至図９を参照して説明する。まず、図８及び図９に示すように、カバー部材１０の背面側の一辺部の角部には、一対の枢軸１０ａが突出して形成されている。加えて、同一辺部の中間部には、一対の位置規制突起１０ｂが設けられている。また、前記一辺部と対向する他辺部の略中央部には、係止爪１０ｃを有する弾性変形可能な側面形状がＵ字状の係止操作摘み１０ｄが設けられている。
【００３５】
一方、図７及び図９に示すように、アダプタガイド５の対向する両側壁には、屈曲したガイド孔５ａ形成されている。このガイド孔５ａは、カバー部材１０の枢軸１０ａが導入される導入部５ａ1及び、カバー部材１０を開いたときに、枢軸１０ａが係止され保持される保持部５ａ2とから構成されている。
【００３６】
また、前面壁（図示上、右側）の中央部には、係止操作摘み１０ｄの係止爪１０ｃが係止される係止溝５ｂが形成されている。さらに、背面壁（図示上、左側）には、位置規制突起１０ｂが係合する一対のスリット５ｃが形成されている。
【００３７】
このような構成において、カバー部材１０をアダプタガイド５に取付ける場合には、カバー部材１０の枢軸１０ａをガイド孔５ａの導入部５ａ1から導入し、保持部５ａ2まで進入させる。その後、カバー部材１０を枢軸１０ａを支点として閉塞方向に回動し、係止爪１０ｃを係止溝５ｂに係止させる。この状態では、図５に示すように、アダプタガイド５の係合口５１は、カバー部材１０によって覆われ閉塞状態となる。
【００３８】
このとき、位置規制突起１０ｂは一対のスリット５ｃに適正に係合し、そのため係止爪１０ｃが係止溝５ｂに係止し、正常にカバー部材１０が係合口５１を閉塞状態に維持できるようになる。しかしながら、仮に、位置規制突起１０ｂを設けない場合には、係止爪１０ｃが係止溝５ｂに確実に係止されないまま、つまり、中途半端にカバー部材１０が係合口５１を閉塞状態とする可能性がある。
位置規制突起１０ｂは、このようにカバー部材１０が正常に係合口５１を閉塞状態に維持するための機能を有している。
【００３９】
次に、アダプタガイド５の係合口５１を開放状態にする場合には、図５に示すように、係止操作摘み１０ｄを矢印方向に操作して係止爪１０ｃの係止を解き、カバー部材１０を枢軸１０ａを支点として開放方向に回動する。このとき、枢軸１０ａは、ガイド孔５ａの保持部５ａ2に係止され保持されため、カバー部材１０はアダプタガイド５から外れて落下してしまうことが防止される（図１０参照）。したがって、本実施形態では、カバー部材１０の枢軸１０ａとアダプタガイド５のガイド孔５ａ、具体的には、保持部５ａ2によって落下防止手段が構成されている。
【００４０】
また、カバー部材１０をアダプタガイド５から取外すには、前述のカバー部材１０をアダプタガイド５に取付ける場合とは反対にカバー部材１０の枢軸１０ａをガイド孔５ａに沿って移動させるようにすればよい。
【００４１】
以上のようにカバー部材１０は、係合口５１を開閉可能に覆うようになっているが、この開閉可能な構成は、カバー部材１０を係合口５１に対して着脱して開放、閉塞したり、また、一端側を軸支してそれを支点として回動して係合口５１を開放、閉塞したりするような構成が適用できる。要は、係合口５１を開放状態、閉塞状態とすることができ、係合口５１を開放状態にした場合に、アダプタＡを操作できる形態であればよい。
【００４２】
続いて、アダプタＡは、図２及び図１０に示すように、天井面Ｃに設置された引掛けシーリングボディＣｂに、上面側に設けられた引掛刃によって電気的かつ機械的に接続されるもので略円筒状をなし、周壁の両側には一対の係止部Ａ1が、内蔵されたスプリングによって常時外周側へ突出するように設けられている。この係止部Ａ1は下面側に設けられたレバーを操作することにより没入するようになっている。また、このアダプタＡからは、前記点灯装置２へ接続する図示しない電源コードが導出されていて、点灯装置２とコネクタを介して接続されるようになっている。
【００４３】
赤外線リモコン送信器Ｒは、例えば、周波数３８ｋＨｚのパルス状の特定のコード化された赤外線リモコン制御信号を送信するもので、例えば、全光点灯ボタン、調光点灯ボタン、常夜灯ボタンや消灯ボタン等が設けられている。このリモコン送信器Ｒを補助部品ユニット８、すなわち、赤外線リモコン信号受信部に向けて操作することによって光源部６における発光素子６１の発光状態、つまり、全光点灯、調光点灯、消灯等の制御を行うことができる。
【００４４】
次に、上記のように構成された照明器具の天井面Ｃへの取付状態について、図１０を参照して説明する。なお、図においてアダプタＡから導出される電源コードの図示は省略している。
【００４５】
図１０に示すように、天井面Ｃに引掛けシーリングボディＣｂが設置されている。また、この引掛けシーリングボディＣｂには、アダプタＡが電気的かつ機械的に接続されている。この状態からカバー部材１０を開き又は取外して係合口５１を開放状態として図示矢印で示すように、器具本体１におけるアダプタガイド５の係合口５１をアダプタＡに合わせながら、アダプタＡの係止部Ａ1がアダプタガイド５の係合口５１に確実に係合するまで器具本体１を下方から手で押し上げて取付け操作を行い、カバー部材１０で係合口５１を覆い閉塞状態とする。
【００４６】
これにより、器具本体１の取付状態では、アダプタＡがセンターシャーシ４の開口４２を挿通し、アダプタＡの係止部Ａ1がアダプタガイド５の係合口５１に係止されて取付状態が保持される。
【００４７】
また、器具本体１を取外す場合には、カバー部材１０を開き又は取外し、アダプタＡに設けられているレバーを操作してアダプタＡの係止部Ａ1の係合を解くことにより取外すことができる。
【００４８】
このような器具本体１において、導光板７には開口７１が形成されていて、アダプタガイド５の係合口５１を含めて器具本体１の下方における略全面を覆うように構成されていない。したがって、器具本体１の取付け、取外し操作に際し、アダプタＡの操作等のために、導光板７を器具本体１から取外すことなく、カバー部材１０を係合口５１に対して開放状態とすることにより、簡単な操作で作業を行うことができる。加えて、アダプタガイド５は、導光板７の開口７１を挿通して取付けられるようになっているので、器具本体１の薄型化が可能となる。
【００４９】
また、器具本体１の取付け操作において、器具本体１を下方から手で押し上げる際に、導光板７を手で押し上げて応力を加え、導光板７を変形させてしまう虞がある。しかしながら、本実施形態においては、センターシャーシ４に導光板７の背面側に対向する当接部４１が形成されており、この当接部４１が導光板７の背面側にサポートシャーシ３を介して当接しているので、導光板７を補強する機能を果たし、導光板７の変形を抑制することができる。さらに、当接部４１は、導光板７の開口７１の周囲に配設されるようになっているので、導光板７の変形の抑制を有効に行うことができる。
【００５０】
照明器具の取付状態において、点灯装置２に電力が供給されると、基板６２を介して発光素子６１に通電され、各発光素子６１が点灯する。発光素子６１から出射された光は、導光板７の光入射端面７２へ入射し、この入射した光は、導光板７内で全反射して導光板７全体に広がるとともに、背面側に形成された反射ドットからなるドットパターンによって拡散反射され、さらに前面側の拡散シートによって拡散されて均質化された光が前面側から放射される。また、導光板７から漏れた一部の光は、反射シートによって反射され前面側に放射されて再利用されるようになる。
また、カバー部材１０は、透光性を有しているので、導光板７から漏れた光を透過させることができ、暗さ感を抑制できる。
【００５１】
さらに、各発光素子６１から発生する熱は、基板６２裏面側から取付板６３に伝導され、サポートシャーシ３に伝導され、サポートシャーシ３の広い面積で効果的に放熱される。
【００５２】
以上のように本実施形態によれば、アダプタガイド５の係合口５１に対応して導光板７に開口７１を形成したので、アダプタＡに器具本体１を取付ける場合や取外す場合、導光板７を取外すことなく、カバー部材１０を操作することによって、簡単な操作で作業が行え、かつ薄型化が可能な照明器具を提供することができる。
【００５３】
また、カバー部材１０には落下防止手段が備えられているので、カバー部材１０の開閉に際し、カバー部材１０の落下を防止することが可能となる。さらに、カバー部材１０は透光性を有しているので暗さ感を抑制できる。
次に、本発明の第２の実施形態について図１１を参照して説明する。なお、第１の実施形態と同一又は相当部分には同一符号を付し、重複した説明は省略する。
【００５４】
本実施形態では、カバー部材１０の背面側に補助部品ユニット８を取付け配設したものである。補助部品ユニット８は、箱状の透光性のケース８１内にユニット基板８２及びこの基板８２に実装された複数の電気的補助部品を備えて構成されている。電気的補助部品は、赤外線リモコン信号受信部、照度センサ、補助光源としての常夜灯、スイッチやモニターランプ等である。なお、人感センサや感振ユニットを設けるようにしてもよい。
この補助部品ユニット８は、コネクタ８３を介してリード線によって点灯装置２に接続されている。
【００５５】
このような構成によれば、補助部品ユニット８を器具本体１の略中央部に配置することができ外観性の向上を図ることができる。また、点灯装置２は、中央側に位置しているので、この点灯装置２との配線長を短くすることが可能となり、配線処理作業も容易となる。
【００５６】
さらに、補助部品ユニット８から導出されるリード線は、コネクタ８３によって着脱可能に接続されており、このためコネクタ８３による接続がカバー部材１０の落下防止手段としての機能を兼用することが可能となる。したがって、この落下防止手段と第１の実施形態において説明した落下防止手段とで二重に落下防止がなされることになる。
【００５７】
加えて、例えば、補助部品ユニット８の電気的補助部品を赤外線リモコン信号受信部と常夜灯、又は赤外線リモコン信号受信部、照度センサと常夜灯のように組み合わせて、種類の異なる補助部品ユニット８をカバー部材１０に設けたものを用意することにより、カバー部材１０を交換することで複数の機種展開（機能の選択）が可能となる。
【００５８】
なお、補助部品ユニット８を構成するケース８１は、カバー部材１０と一体的に形成するようにしてもよい。また、本実施形態の構成は、発光素子から出射される光を導光板を用いて照明を行う形式に適用する場合に限るものではない。導光板を用いることなく、例えば、基板に実装された発光素子から出射される光を拡散性を有する透光性カバーを透過させて照明を行う形式のものにも適用できる。さらに、光源の種類も格別限定されるものではない。
本発明は、上記実施形態の構成に限定されることなく、発明の要旨を逸脱しない範囲で種々の変形が可能である。
【符号の説明】
【００５９】
１・・・器具本体、２・・・点灯装置、３・・・サポートシャーシ、
４・・・センターシャーシ、５・・・取付部（アダプタガイド）、６・・・光源部、
７・・・導光板、８・・・補助部品ユニット、９・・・本体枠、
１０・・・カバー部材、５１・・・係合口、６１・・・発光素子、６２・・・基板、
７１・・・導光板の開口、７２・・・光入射端面、Ａ・・・アダプタ、
Ｃ・・・器具取付面（天井面）、Ｃｂ・・・配線器具（引掛けシーリングボディ）
【図１】
2012109054.tif 000003
【図２】
2012109054.tif 000004
【図３】
2012109054.tif 000005
【図４】
2012109054.tif 000006
【図５】
2012109054.tif 000007
【図６】
2012109054.tif 000008
【図７】
2012109054.tif 000009
【図８】
2012109054.tif 000010
【図９】
2012109054.tif 000011
【図１０】
2012109054.tif 000012
【図１１】
2012109054.tif 000013